(57)【要約】      （修正有）【課題】必要とされるダイオードパッケージの数を極力減らしつつ、確実なＥＳＤ保護を可能とする。【解決手段】ＥＳＤ保護に用いられるダイオードパッケージ数は、ＥＳＤ保護対象となるノードの数をＮとし、そのＮを２で割り、小数点以下切捨てとしたその商に１を加算した数として求められ、各ノードとしての接続端子２−１〜２−３には、それぞれ一つのツェナーダイオード１−１ａ、１−１ｂ、１−２ｂのアノードが接続され、これら３つのツェナーダイオード１−１ａ、１−１ｂ、１−２ｂのカソードは、残余のツェナーダイオード１−２ａのカソードと接続され、このツェナーダイオード１−２ａのアノードはグランドに接続されて、各接続端子２−１〜２−３毎のＥＳＤ保護が可能となっている。【選択図】図１
2019047673.tif 000002
【特許請求の範囲】
【請求項１】
２つのツェナーダイオード（１−１ａ，１−１ｂ、１−２ａ，１−２ｂ）が互いにカソードで接続され、前記２つのツェナーダイオード（１−１ａ，１−１ｂ、１−２ａ，１−２ｂ）の各々のアノード及び前記カソードがそれぞれ外部回路と接続可能に収納部材に収納されるダイオードパッケージ（１−１，１−２）を備えるＥＳＤ保護回路（５０）であって、
前記ダイオードパッケージ数は、 
ＥＳＤ保護対象となるノードの数をＮとし、前記Ｎを２で割り、小数点以下切捨てとしたその商に１を加算した数であり、 
前記ノードには、それぞれ一つのツェナーダイオード（１−１ａ，１−１ｂ，１−２ｂ）のアノードが接続され、当該ツェナーダイオード（１−１ａ，１−１ｂ，１−２ｂ）のカソードは、残余のツェナーダイオード（１−２ａ）のカソードと接続され、当該残余のツェナーダイオード（１−２ａ）のアノードはグランドに接続される
ことを特徴とするＥＳＤ保護回路。 
【請求項２】
前記ノードは、 
前記外部回路との接続を行うコネクタ（２）の接続端子（２−１〜２−３）である 
ことを特徴とする請求項１に記載のＥＳＤ保護回路。 
【請求項３】
前記接続端子（２−１〜２−３）は、 
当該接続端子（２−１〜２−３）を介して外部回路との信号入力又は信号出力を可能とする内部回路（５１−１〜５１−３）が接続される
ことを特徴とする請求項２に記載のＥＳＤ保護回路。 
【発明の詳細な説明】
【技術分野】
【０００１】
本発明は、静電気放電（ＥＳＤ:Electro-Static Discharge）による電子回路の誤動作、回路素子の破壊を防止するＥＳＤ保護回路に関する。
【背景技術】
【０００２】
電子回路においては、ＥＳＤによって回路の誤動作や、最悪時には回路素子の破壊に至ることは、従来から良く知られている通りである。
特に、外部回路との接続がなされコネクタの接続端子などの導電性の部材においてはＥＳＤが発生し易く、このため、従来からコネクタの接続端子近傍にＥＳＤ保護回路を設けて、接続端子に接続された電子回路の誤動作、回路素子の破壊等の防止が行われている。
【０００３】
ＥＳＤ保護回路については、従来から様々な構成のものが提案、実用化されている（例えば、特許文献１等参照）。 
図５及び図６には、従来のＥＳＤ保護回路の一例が示されており、以下、同図を参照しつつ、この従来回路について説明する。 
【０００４】
図５において、ＥＳＤ保護回路２５０が設けられた電子装置２００は、複数の内部回路、すなわち、回路構成例においては、４つの内部回路２１０−１〜２１０−４を有しており、コネクタ２２０を介して外部回路と信号等の授受が可能に構成されている。
４つの内部回路２１０−１〜２１０−４は、それぞれコネクタ２２０に設けられた接続端子２２０−１〜２２０−４の一つと接続されている。
【０００５】
ＥＳＤ保護回路２５０は、内部回路２１０−１〜２１０−４の数に対応して、４つのダイオードパッケージ２６０−１〜２６０−４を有して、コネクタ２２０の近傍に設けられている。
【０００６】
ダイオードパッケージ２６０−１〜２６０−４は、同一の構成を有するものであるので、ここでは、ダイオードパッケージ２６０−１を例に採り、その構成を以下に説明する。
なお、以下の説明においては、ダイオードパッケージ２６０−１の構成要素の符号の後に括弧書きで、他のダイオードパッケージ２６０−２〜２６０−４の対応する構成要素の符号を示し、これらの構成の説明に代えることとする。
【０００７】
ダイオードパッケージ２６０−１は、各々のカソードが相互に接続された２つのツェナーダイオード２６０−１ａ，２６０−１ｂ（２６０−２ａ，２６０−２ｂ、２６０−３ａ，２６０−３ｂ、２６０−４ａ，２６０−４ｂ）が、いわゆるバック・トゥ・バック接続された状態で、収納部材に収納されて構成されているものである。
【０００８】
２つのツェナーダイオード２６０−１ａ，２６０−１ｂ（２６０−２ａ，２６０−２ｂ、２６０−３ａ，２６０−３ｂ、２６０−４ａ，２６０−４ｂ）の相互に接続されたカソードの接続点と、それぞれのアノードは、外部と個別に接続可能となっている。
【０００９】
そして、接続端子２２０−１（２２０−２〜２２０−４）とグランドとの間には、ダイオードパッケージ２６０−１（２２０−２〜２６０−４）の２つのツェナーダイオード２６０−１ａ，２６０−１ｂ（２６０−２ａ，２６０−２ｂ、２６０−３ａ，２６０−３ｂ、２６０−４ａ，２６０−４ｂ）が、上述のバック・トゥ・バック接続状態で設けられている。
【００１０】
このように各接続端子２２０−１〜２２０−４毎に設けられたダイオードパッケージ２６０−１〜２６０−４により、各内部回路２１０−１〜２１０−４のＥＳＤ保護が確実に確保されている。
【先行技術文献】
【特許文献】
【００１１】
【特許文献１】特開平１１−２９９０７９号公報
【発明の概要】
【発明が解決しようとする課題】
【００１２】
しかしながら、上述の従来回路の場合、保護を必要とする接続端子２２０−１〜２２０−４の数と同数のダイオードパッケージ２６０−１〜２６０−４が必要となるため、接続端子が増えるに従い、必要なダイオードパッケージも増え、それと共に、ダイオードパッケージを配設するＰＣＢ基板の面積も増えるため、コスト面と実装面積の２重の負担が大きくなるという問題がある。
【００１３】
例えば、図５に示された従来回路において、各接続端子２２０−１〜２２０−４に印加される信号が時系列的に重なることがなく、かつ、各内部回路２１０−１〜２１０−４は、本来の信号以外の信号が入力されても何ら回路動作に影響を受けない構成のものである場合には、図６に示されたように、一つのダイオードパッケージ２６０−１を共用して各接続端子２２０−１〜２２０−４のＥＳＤ保護を図ることは可能である。
【００１４】
しかしながら、通常、内部回路２１０−１〜２１０−４の入出力信号は、相互の混信が無いことが前提であるため、図６に示されたように各接続端子２２０−１〜２２０−４が短絡される状態の回路構成を採ることはできない。
【００１５】
本発明は、上記実状に鑑みてなされたもので、必要とされるダイオードパッケージの数を極力減らしつつ、従来と同等以上の確実なＥＳＤ保護を可能とするＥＳＤ保護回路を提供するものである。
【課題を解決するための手段】
【００１６】
上記本発明の目的を達成するため、本発明に係るＥＳＤ保護回路は、 
２つのツェナーダイオード（１−１ａ，１−１ｂ、１−２ａ，１−２ｂ）が互いにカソードで接続され、前記２つのツェナーダイオード（１−１ａ，１−１ｂ、１−２ａ，１−２ｂ）の各々のアノード及び前記カソードがそれぞれ外部回路と接続可能に収納部材に収納されるダイオードパッケージ（１−１，１−２）を備えるＥＳＤ保護回路（５０）であって、
前記ダイオードパッケージ数は、 
ＥＳＤ保護対象となるノードの数をＮとし、前記Ｎを２で割り、小数点以下切捨てとしたその商に１を加算した数であり、 
前記ノードには、それぞれ一つのツェナーダイオード（１−１ａ，１−１ｂ，１−２ｂ）のアノードが接続され、当該ツェナーダイオード（１−１ａ，１−１ｂ，１−２ｂ）のカソードは、残余のツェナーダイオード（１−２ａ）のカソードと接続され、当該残余のツェナーダイオード（１−２ａ）のアノードはグランドに接続されることを特徴とする。
【発明の効果】
【００１７】
本発明によれば、従来に比して、より少ない数のツェナーダイオードを用いて従来と同等のＥＳＤ保護を可能としたので、部品点数の削減と共に実装面積の削減を図ることができ、この２つの削減による確実なコスト削減、装置の小型化に寄与することができるという効果を奏するものである。
【図面の簡単な説明】
【００１８】
【図１】本発明の実施の形態におけるＥＳＤ保護回路の第１の回路構成例を示す回路図である。
【図２】本発明の実施の形態におけるＥＳＤ保護回路の第２の回路構成例を示す回路図である。
【図３】本発明の実施の形態におけるＥＳＤ保護回路の第３の回路構成例を示す回路図である。
【図４】本発明の実施の形態におけるＥＳＤ保護回路の第４の回路構成例を示す回路図である。
【図５】従来回路の一回路構成例を示す回路図である。
【図６】従来の他の回路構成例を示す回路図である。
【発明を実施するための形態】
【００１９】
以下、本発明の実施の形態について、図１乃至図４を参照しつつ説明する。 
なお、以下に説明する部材、配置等は本発明を限定するものではなく、本発明の趣旨の範囲内で種々改変することができるものである。
最初に、本発明の実施の形態におけるＥＳＤ保護回路５０の第１の回路構成例について、図１を参照しつつ説明する。 
この第１の回路構成例は、コネクタ２が、ＥＳＤ保護対象のノードである３つの接続端子２−１〜２−３を有している場合の例を示したものである。
【００２０】
この第１の回路構成例におけるＥＳＤ保護回路５０が設けられる電子装置１００は、ＥＳＤ保護が必要な３つの内部回路５０−１〜５０−３を有している。
内部回路５０−１〜５０−３は、それぞれコネクタ２の接続端子２−１〜２−３と接続されており、コネクタ２を介して外部回路と信号等の授受が可能となっている。なお、内部回路５０−１〜５０−３は、ＥＳＤ保護が必要な電子回路であれば、特定の回路構成に限定される必要は無い。
【００２１】
本発明の実施の形態におけるＥＳＤ保護回路５０は、従来同様、コネクタ２の近傍に設けられている。 
コネクタ２は、少なくとも、内部回路５０−１〜５０−３の数に対応した接続端子２−１〜２−３を有している。内部回路５０−１〜５０−３の入力段、又は、出力段が、対応する接続端子２−１〜２−３と接続されて、外部からの信号入力、又は、外部への信号出力が可能となっている。
【００２２】
この第１の回路構成例におけるＥＳＤ保護回路５０は、２つのダイオードパッケージ１−１，１−２を有して構成されており、以下、詳述するように３つの内部回路５０−１〜５０−３のＥＳＤ保護が可能となっている。
【００２３】
ダイオードパッケージ１−１，１−２は、従来から用いられているものと同一の構成を有するものである。 
ここでは、一方のダイオードパッケージ１−１を例に採り、その構成を以下に説明する。なお、以下の説明においては、ダイオードパッケージ１−１の構成要素の符号の後に括弧書きで、他方のダイオードパッケージ１−２の対応する構成要素の符号を示し、ダイオードパッケージ１−１の構成の説明を以て、他方のダイオードパッケージ１−２の構成の説明に代えることとする。
【００２４】
ダイオードパッケージ１−１には、２つのツェナーダイオード１−１ａ，１−１ｂがいわゆるバック・トゥ・バック接続されて設けられている。すなわち、ダイオードパッケージ１−１には、カソード同士が接続された２つのツェナーダイオード１−１ａ，１−１ｂが設けられており、その相互に接続されたカソードと、各々のアノードは、それぞれ外部と接続可能となっている。
【００２５】
本発明の実施の形態のＥＳＤ保護回路に必要とされるダイオードパッケージの数は、次のようにして求められる。 
【００２６】
ダイオードパッケージ数＝Ｎ／２（小数点以下切捨て）＋１・・・式１ 
【００２７】
ここで、Ｎは、ＥＳＤ保護が必要とされる接続端子数（換言すれば、内部回路数）であり、この第１の回路構成の場合、Ｎ＝３である。
したがって、式１に具体的数値を代入すると、ダイオードパッケージ数＝３／２（小数点以下切捨て）＋１＝１＋１＝２と求められる。
【００２８】
以下、２つのダイオードパッケージ１−１，１−２の具体的な接続について説明する。 
一方のダイオードパッケージ１−１において、第１のツェナーダイオード１−１ａのアノードは第１の接続端子２−１に、第２のツェナーダイオード１−１ｂのアノードは第２の接続端子２−２に、それぞれ接続されている。
【００２９】
そして、第１及び第２のツェナーダイオード１−１ａ，１−１ｂの相互の接続点であるカソードは、第２のダイオードパッケージ１−２の第１及び第２のツェナーダイオード１−２ａ，１−２ｂの相互の接続点であるカソードに接続されている。
【００３０】
第２のダイオードパッケージ１−２において、第１のツェナーダイオード１−２ａのアノードはグランドに、第２のツェナーダイオード１−２ｂのアノードは第３の接続端子２−３に、それぞれ接続されている。
【００３１】
したがって、第１の接続端子２−１とグランドとの間には、第１のダイオードパッケージ１−１の第１のツェナーダイオード１−１ａと第２のダイオードパッケージ１−２の第１のツェナーダイオード１−２ａが、バック・トゥ・バックに接続された状態となっている。その結果、第１の接続端子２−１に印加された正負いずれの静電気に対しても、従来同様に、ＥＳＤ保護機能を果たすことが可能となっている。
【００３２】
また、第２の接続端子２−２とグランドとの間には、第１のダイオードパッケージ１−１の第２のツェナーダイオード１−１ｂと第２のダイオードパッケージ１−２の第１のツェナーダイオード１−２ａが、バック・トゥ・バックに接続された状態となっている。その結果、従来同様に、第２の接続端子２−２に印加された正負いずれの静電気に対してもＥＳＤ保護機能を果たすことが可能となっている。
【００３３】
さらに、第３の接続端子２−３とグランドとの間には、第２のダイオードパッケージ１−２の第１及び第２のツェナーダイオード１−２ａ，１−２ｂが、バック・トゥ・バックに接続された状態となっている。その結果、従来同様に、第３の接続端子２−３に印加された正負いずれの静電気に対してもＥＳＤ保護機能を果たすことが可能となっている。
【００３４】
次に、第２の回路構成例について、図２を参照しつつ説明する。 
なお、図１に示された第１の回路構成例の構成要素と同一の構成要素については、同一の符号を付して、その詳細な説明を省略し、以下、異なる点を中心に説明する。
【００３５】
この第２の回路構成例は、コネクタ２が、ＥＳＤ保護対象のノードである４つの接続端子２−１〜２−４を有している場合の例を示したものである。
この第２の回路構成例において必要とされるダイオードパッケージ数は、先の式１によりダイオードパッケージ数＝４／２（小数点以下切捨て）＋１＝３と求められる。
【００３６】
第１乃至第３のダイオードパッケージ１−１〜１−３は、次述するように接続されて設けられている。 
第１及び第２の接続端子２−１，２−２と第１のダイオードパッケージ１−１との間の接続は、図１に示された第１の回路構成例と同一であるので、ここでの再度の詳細な説明は省略する。
【００３７】
この第２の回路構成例において、第２のダイオードパッケージ１−２は、第１の回路構成例と異なり、第１及び第２のツェナーダイオード１−２ａ，１−２ｂのアノードは相互に接続されると共に、グランドに接続されている。
【００３８】
次に、第３の接続端子２−３は、第３のダイオードパッケージ１−３の第１のツェナーダイオード１−３ａのアノードに、第４の接続端子２−４は、第３のダイオードパッケージ１−３の第２のツェナーダイオード１−３ｂのアノードに、それぞれ接続されている。
【００３９】
そして、第３のダイオードパッケージ１−３の第１及び第２のツェナーダイオード１−３ａ，１−３ｂの相互の接続点であるカソードは、第２のダイオードパッケージ１−２の第１及び第２のツェナーダイオード１−２ａ，１−２ｂの相互の接続点であるカソードに接続されている。
【００４０】
上述のように、本発明の実施の形態におけるＥＳＤ保護回路５０においては、接続端子２−１〜２−４に、それぞれ一つのツェナーダイオード１−１ａ、１−１ｂ、１−３ａ、１−３ｂのアノードが接続される一方、これらのツェナーダイオード１−１ａ、１−１ｂ、１−３ａ、１−３ｂのカソードは、残余のツェナーダイオード１−２ａ，１−２ｂのカソードと接続され、この残余のツェナーダイオード１−２ａ，１−２ｂのアノードはグランドに接続されている。
【００４１】
したがって、第１の接続端子２−１とグランドとの間には、第１のダイオードパッケージ１−１の第１のツェナーダイオード１−１ａと、第２のダイオードパッケージ１−２の並列接続された第１及び第２のツェナーダイオード１−２ａ，１−２ｂが、バック・トゥ・バックに接続されて設けられている。その結果、第１の接続端子２−１に印加された正負いずれの静電気に対しても、従来同様にＥＳＤ保護機能を果たすことが可能となっている。
【００４２】
また、第２の接続端子２−２とグランドとの間には、第１のダイオードパッケージ１−１の第２のツェナーダイオード１−１ｂと、第２のダイオードパッケージ１−２の並列接続された第１及び第２のツェナーダイオード１−２ａ，１−２ｂが、バック・トゥ・バックに接続されて設けられている。その結果、第２の接続端子２−２に印加された正負いずれの静電気に対しても、従来同様にＥＳＤ保護機能を果たすことが可能となっている。
【００４３】
さらに、第３の接続端子２−３とグランドとの間には、第３のダイオードパッケージ１−３の第１のツェナーダイオード１−３ａと、第２のダイオードパッケージ１−２の並列接続された第１及び第２のツェナーダイオード１−２ａ，１−２ｂが、バック・トゥ・バックに接続されて設けられている。その結果、第３の接続端子２−３に印加された正負いずれの静電気に対しても、従来同様にＥＳＤ保護機能を果たすことが可能となっている。
【００４４】
またさらに、第４の接続端子２−４とグランドとの間には、第３のダイオードパッケージ１−３の第２のツェナーダイオード１−３ｂと、第２のダイオードパッケージ１−２の並列接続された第１及び第２のツェナーダイオード１−２ａ，１−２ｂが、バック・トゥ・バックに接続されて設けられている。その結果、第４の接続端子２−４に印加された正負いずれの静電気に対しても、従来同様にＥＳＤ保護機能を果たすことが可能となっている。
【００４５】
次に、第３の回路構成例について、図３を参照しつつ説明する。 
なお、図１、又は、図２に示された回路構成例の構成要素と同一の構成要素については、同一の符号を付して、その詳細な説明を省略し、以下、異なる点を中心に説明する。
【００４６】
この第３の回路構成例は、コネクタ２が、ＥＳＤ保護対象のノードである５つの接続端子２−１〜２−５を有している場合の例を示したものである。
この第３の回路構成例において必要とされるダイオードパッケージ数は、先の式１によりダイオードパッケージ数＝５／２（小数点以下切捨て）＋１＝３と求められる。
【００４７】
第１乃至第３のダイオードパッケージ１−１〜１−３は、次述するように接続されて設けられている。 
まず、第１乃至第３の接続端子２−１〜２−３と第１及び第３のダイオードパッケージ１−１，１−３との間の接続は、図２に示された第２の回路構成例と同一である。
【００４８】
第２のダイオードパッケージ１−２においては、図２に示された第２の回路構成例と異なり、第１のツェナーダイオード１−２ａのアノードがグランドに、第２のツェナーダイオード１−２ｂのアノードが第５の接続端子２−５に、それぞれ接続されている。
なお、第１乃至第３のダイオードパッケージ１−１〜１−３の各第１及び第２のツェナーダイオード１−１ａ，１−１ｂ、１−２ａ，１−２ｂ、１−３ａ，１−３ｂのカソードが相互に接続される点は、図２に示された第２の回路構成例と同一である。
【００４９】
したがって、第１の接続端子２−１とグランドとの間には、第１のダイオードパッケージ１−１の第１のツェナーダイオード１−１ａと、第２のダイオードパッケージ１−２の第１のツェナーダイオード１−２ａとが、バック・トゥ・バックに接続されて設けられている。その結果、第１の接続端子２−１に印加された正負いずれの静電気に対しても、従来同様にＥＳＤ保護機能を果たすことが可能となっている。
【００５０】
また、第２の接続端子２−２とグランドとの間には、第１のダイオードパッケージ１−１の第２のツェナーダイオード１−１ｂと、第２のダイオードパッケージ１−２の第１のツェナーダイオード１−２ａとが、バック・トゥ・バックに接続されて設けられている。その結果、第２の接続端子２−２に印加された正負いずれの静電気に対しても、従来同様にＥＳＤ保護機能を果たすことが可能となっている。
【００５１】
さらに、第３の接続端子２−３とグランドとの間には、第３のダイオードパッケージ１−３の第１のツェナーダイオード１−３ａと、第２のダイオードパッケージ１−２の第１のツェナーダイオード１−２ａとが、バック・トゥ・バックに接続されて設けられている。その結果、第３の接続端子２−３に印加された正負いずれの静電気に対しても、従来同様にＥＳＤ保護機能を果たすことが可能となっている。
【００５２】
さらに、第４の接続端子２−４とグランドとの間には、第３のダイオードパッケージ１−３の第２のツェナーダイオード１−３ｂと、第２のダイオードパッケージ１−２の第１のツェナーダイオード１−２ａとが、バック・トゥ・バックに接続されて設けられている。その結果、第４の接続端子２−４に印加された正負いずれの静電気に対しても、従来同様にＥＳＤ保護機能を果たすことが可能となっている。
【００５３】
またさらに、第５の接続端子２−５とグランドとの間には、第２のダイオードパッケージ１−２の第１及び第２のツェナーダイオード１−２ａ，１−２ｂがバック・トゥ・バックに接続されて設けられており、従来同様に、第５の接続端子２−５に印加された正負いずれの静電気に対してもＥＳＤ保護機能を果たすことが可能となっている。
【００５４】
次に、第４の回路構成例について、図４を参照しつつ説明する。 
なお、図１、図２、又は、図３に示された回路構成例の構成要素と同一の構成要素については、同一の符号を付して、その詳細な説明を省略し、以下、異なる点を中心に説明する。
【００５５】
この第４の回路構成例は、コネクタ２が、ＥＳＤ保護対象のノードである６つの接続端子２−１〜２−６を有している場合の例を示したものである。
この第４の回路構成例において必要とされるダイオードパッケージ数は、先の式１によりダイオードパッケージ数＝６／２（小数点以下切捨て）＋１＝４と求められる。
【００５６】
第１乃至第４のダイオードパッケージ１−１〜１−４は、次述するように接続されて設けられている。 
まず、第１乃至第４の接続端子２−１〜２−４と第１及び第３のダイオードパッケージ１−１，１−３との間の接続は、図２に示された第２の回路構成例と同一である。
【００５７】
また、第１及び第３のダイオードパッケージ１−１，１−３と第２のダイオードパッケージ１−２との間の接続も図２に示された第２の回路構成例と同一である。
【００５８】
次に、第５の接続端子２−５は、第４のダイオードパッケージ１−４の第１のツェナーダイオード１−４ａのアノードに、第６の接続端子２−６は、第４のダイオードパッケージ１−４の第２のツェナーダイオード１−４ｂのアノードに、それぞれ接続されている。
【００５９】
そして、第４のダイオードパッケージ１−４の第１及び第２のツェナーダイオード１−４ａ，１−４ｂのカソードは、第２のダイオードパッケージ１−２の第１及び第２のツェナーダイオード１−２ａ，１−２ｂのカソードに接続されている。
【００６０】
したがって、第１乃至第４の接続端子２−１〜２−４とグランドとの間の、各々の接続については、図２において説明した通りであり、変わるところは無いので、ここでの再度の詳細な説明は省略する。
【００６１】
次に、第５の接続端子２−５とグランドとの間には、第４のダイオードパッケージ１−４の第１のツェナーダイオード１−４ａと、第２のダイオードパッケージ１−２の並列接続された第１及び第２のツェナーダイオード１−２ａ，１−２ｂが、バック・トゥ・バックに接続されて設けられている。その結果、第５の接続端子２−５に印加された正負いずれの静電気に対しても、従来同様にＥＳＤ保護機能を果たすことが可能となっている。
【００６２】
次に、第６の接続端子２−６とグランドとの間には、第４のダイオードパッケージ１−４の第２のツェナーダイオード１−４ｂと、第２のダイオードパッケージ１−２の並列接続された第１及び第２のツェナーダイオード１−２ａ，１−２ｂが、バック・トゥ・バックに接続されて設けられている。その結果、第６の接続端子２−６に印加された正負いずれの静電気に対しても、従来同様にＥＳＤ保護機能を果たすことが可能となっている。
【００６３】
本発明の実施の形態におけるＥＳＤ保護回路は、上述の接続端子数に限定される必要が無いことは勿論であり、７個以上の接続端子数であっても、同様に適用することができ、ＥＳＤ保護を必要とする接続端子の増加に伴い、より多くのダイオードパッケージの削減が可能となる。
【産業上の利用可能性】
【００６４】
回路の簡素化及び部品点数の削減を図りつつ確実なＥＳＤ保護動作が所望される電子回路等に適用できる。 
【符号の説明】
【００６５】
１−１〜１−４…ダイオードパッケージ 
２…コネクタ 
２−１〜２−６…接続端子 
５１−１〜５１−６…内部回路 
【図１】
2019047673.tif 000003
【図２】
2019047673.tif 000004
【図３】
2019047673.tif 000005
【図４】
2019047673.tif 000006
【図５】
2019047673.tif 000007
【図６】
2019047673.tif 000008